【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
被写体像を光学式ビューファインダへと導くために撮像光学系の光路内に対して進退自在に配設される可動ミラーを有するデジタルカメラであって、
前記撮像光学系で形成された被写体像を撮像して画像データを生成する撮像素子と、
前記撮像素子で生成された画像データ又はその画像データに所定の処理を施した画像データを表示する表示部と、
前記可動ミラーが前記撮像光学系の光路内に進入しているとき、被写体からの光量を測定する測光部と、
被写体に対して光を照射する照明部と、
前記撮像素子で生成された画像データ又はその画像データに所定の処理を施した画像データを、リアルタイムで動画像として表示部に表示するよう制御するライブビューモードを有する制御部と、を備え、
前記制御部は、ライブビューモードで動作している状態において、
前記照明部を発光しないで被写体からの光量を測定しようとする場合、前記撮像素子で生成した画像データを利用して前記光量を測定するよう制御する一方、
前記照明部を発光して被写体からの光量を測定しようとする場合、前記可動ミラーを前記撮像光学系の光路内に進入させ、前記照明部を発光させ、前記測光部による測定結果を取得するよう制御する、
デジタルカメラ。
【請求項２】
前記撮像光学系で形成する被写体像の光量を調節する絞りをさらに備え、
前記制御部は、
前記撮像素子で生成した画像データに基づいて取得した被写体からの光量および前記測光部による測定結果に基づいて、前記絞りの開口量および前記撮像素子の露光時間のうちの一方またはその両方を設定する、
請求項１に記載のデジタルカメラ。
【請求項３】
被写体像を光学式ビューファインダへと導くために撮像光学系の光路内に対して進退自在に配設される可動ミラーを有し、前記撮像光学系で形成する被写体像の光量を調節する絞りを備える交換レンズを着脱可能なカメラボディであって、
前記撮像光学系で形成された被写体像を撮像して画像データを生成する撮像素子と、
前記撮像素子で生成された画像データ又はその画像データに所定の処理を施した画像データを表示する表示部と、
前記可動ミラーが前記撮像光学系の光路内に進入しているとき、被写体からの光量を測定する測光部と、
被写体に対して光を照射する照明部を取り付け可能な取付部と、
前記撮像素子で生成された画像データ又はその画像データに所定の処理を施した画像データを、リアルタイムで動画像として表示部に表示するよう制御するライブビューモードを有する制御部と、を備え、
前記制御部は、ライブビューモードで動作している状態において、
前記照明部を発光しないで被写体からの光量を測定しようとする場合、前記撮像素子で生成した画像データを利用して前記光量を測定するよう制御する一方、
前記照明部を発光して被写体からの光量を測定しようとする場合、前記可動ミラーを前記撮像光学系の光路内に進入させ、前記照明部を発光させ、前記測光部による測定結果を取得するよう制御する、
カメラボディ。
【請求項４】
前記交換レンズは、前記撮像光学系で形成する被写体像の光量を調節する絞りを備え、
前記制御部は、
前記撮像素子で生成した画像データに基づいて取得した被写体からの光量および前記測光部による測定結果に基づいて、前記絞りの開口量および前記撮像素子の露光時間のうちの一方またはその両方を設定する、
請求項３に記載のカメラボディ。
【請求項５】
請求項３または４に記載のカメラボディと交換レンズとからなる、カメラシステム。
【請求項６】
被写体像を光学式ビューファインダへと導くために撮像光学系の光路内に対して進退自在に配設される可動ミラーを有するデジタルカメラの制御方法であって、
前記デジタルカメラは、
前記撮像光学系で形成された被写体像を撮像して画像データを生成する撮像素子と、
前記撮像素子で生成された画像データ又はその画像データに所定の処理を施した画像データを表示する表示部と、
前記可動ミラーが前記撮像光学系の光路内に進入しているとき、被写体からの光量を測定する測光部と、
被写体に対して光を照射する照明部と、
前記撮像素子で生成された画像データ又はその画像データに所定の処理を施した画像データを、リアルタイムで動画像として表示部に表示するよう制御するライブビューモードを有する制御部と、を備え、
ライブビューモードで動作している状態において、
前記照明部を発光しないで被写体からの光量を測定しようとする場合、前記撮像素子で生成した画像データを利用して前記光量を測定するよう制御する一方、
前記照明部を発光して被写体からの光量を測定しようとする場合、前記可動ミラーを前記撮像光学系の光路内に進入させ、前記照明部を発光させ、前記測光部による測定結果を取得するよう制御する、
デジタルカメラの制御方法。
【請求項７】
前記デジタルカメラは、前記撮像光学系で形成する被写体像の光量を調節する絞りを備え、
前記撮像素子で生成した画像データに基づいて取得した被写体からの光量および前記測光部による測定結果に基づいて、前記絞りの開口量および前記撮像素子の露光時間のうちの一方またはその両方を設定する、
請求項６に記載のデジタルカメラの制御方法。
【手続補正２】
【補正対象書類名】明細書
【補正対象項目名】発明の名称
【補正方法】変更
【補正の内容】
【発明の名称】デジタルカメラ、カメラボディ、カメラシステム、デジタルカメラの制御方法
【手続補正３】
【補正対象書類名】明細書
【補正対象項目名】０００６
【補正方法】変更
【補正の内容】
【０００６】
そこで、本発明は、可動ミラーを含むとともに被写体像を電子ビューファインダでライブビュー表示する際に、その操作性を向上することを目的とする。
【手続補正４】
【補正対象書類名】明細書
【補正対象項目名】０００７
【補正方法】変更
【補正の内容】
【０００７】
本発明のデジタルカメラは、被写体像を光学式ビューファインダへと導くために撮像光学系の光路内に対して進退自在に配設される可動ミラーを有するデジタルカメラであって、前記撮像光学系で形成された被写体像を撮像して画像データを生成する撮像素子と、前記撮像素子で生成された画像データ又はその画像データに所定の処理を施した画像データを表示する表示部と、前記可動ミラーが前記撮像光学系の光路内に進入しているとき、被写体からの光量を測定する測光部と、被写体に対して光を照射する照明部と、前記撮像素子で生成された画像データ又はその画像データに所定の処理を施した画像データを、リアルタイムで動画像として表示部に表示するよう制御するライブビューモードを有する制御部と、を備え、前記制御部は、ライブビューモードで動作している状態において、前記照明部を発光しないで被写体からの光量を測定しようとする場合、前記撮像素子で生成した画像データを利用して前記光量を測定するよう制御する一方、前記照明部を発光して被写体からの光量を測定しようとする場合、前記可動ミラーを前記撮像光学系の光路内に進入させ、前記照明部を発光させ、前記測光部による測定結果を取得するよう制御する。
本発明のカメラボディは、被写体像を光学式ビューファインダへと導くために撮像光学系の光路内に対して進退自在に配設される可動ミラーを有し、前記撮像光学系で形成する被写体像の光量を調節する絞りを備える交換レンズを着脱可能なカメラボディであって、前記撮像光学系で形成された被写体像を撮像して画像データを生成する撮像素子と、前記撮像素子で生成された画像データ又はその画像データに所定の処理を施した画像データを表示する表示部と、前記可動ミラーが前記撮像光学系の光路内に進入しているとき、被写体からの光量を測定する測光部と、被写体に対して光を照射する照明部を取り付け可能な取付部と、前記撮像素子で生成された画像データ又はその画像データに所定の処理を施した画像データを、リアルタイムで動画像として表示部に表示するよう制御するライブビューモードを有する制御部と、を備え、前記制御部は、ライブビューモードで動作している状態において、前記照明部を発光しないで被写体からの光量を測定しようとする場合、前記撮像素子で生成した画像データを利用して前記光量を測定するよう制御する一方、前記照明部を発光して被写体からの光量を測定しようとする場合、前記可動ミラーを前記撮像光学系の光路内に進入させ、前記照明部を発光させ、前記測光部による測定結果を取得するよう制御する。
本発明のカメラシステムは、上記カメラボディと交換レンズとからなる。
本発明のデジタルカメラの制御方法は、被写体像を光学式ビューファインダへと導くために撮像光学系の光路内に対して進退自在に配設される可動ミラーを有するデジタルカメラの制御方法であって、前記デジタルカメラは、前記撮像光学系で形成された被写体像を撮像して画像データを生成する撮像素子と、前記撮像素子で生成された画像データ又はその画像データに所定の処理を施した画像データを表示する表示部と、前記可動ミラーが前記撮像光学系の光路内に進入しているとき、被写体からの光量を測定する測光部と、被写体に対して光を照射する照明部と、前記撮像素子で生成された画像データ又はその画像データに所定の処理を施した画像データを、リアルタイムで動画像として表示部に表示するよう制御するライブビューモードを有する制御部と、を備え、ライブビューモードで動作している状態において、前記照明部を発光しないで被写体からの光量を測定しようとする場合、前記撮像素子で生成した画像データを利用して前記光量を測定するよう制御する一方、前記照明部を発光して被写体からの光量を測定しようとする場合、前記可動ミラーを前記撮像光学系の光路内に進入させ、前記照明部を発光させ、前記測光部による測定結果を取得するよう制御する。
【手続補正５】
【補正対象書類名】明細書
【補正対象項目名】０００９
【補正方法】変更
【補正の内容】
【０００９】
本発明によれば、可動ミラーを含むとともに被写体像を電子ビューファインダでライブビュー表示する際に、その操作性を向上させることができる。